(57)【要約】【課題】コンテンツの内容を表示させる際の操作が煩雑になるのを抑制することが可能な映像受信装置を提供する。【解決手段】この液晶テレビジョン装置（映像受信装置）２００は、ネットワークを介してコンテンツを受信することが可能なネットワーク通信部７と、コンテンツのメニューが表示されるメニュー表示領域２０１ｂ（２０２ｂ、２０３ｂ、２０４ｂ、２０５ｂ）と、コンテンツの内容が表示されるコンテンツ表示領域２０１ｃ（２０３ｃ、２０５ｃ）とを互いに独立して制御して表示部１に表示させるように制御する制御部４とを備える。【選択図】図３
2011250067.tif 000002
【特許請求の範囲】
【請求項１】
ネットワークを介してコンテンツを受信することが可能な通信部と、
前記コンテンツのメニューが表示されるメニュー表示領域と、前記コンテンツの内容が表示されるコンテンツ表示領域とを互いに独立して制御して表示部に表示させるように制御する制御部とを備える、映像受信装置。
【請求項２】
前記制御部は、前記メニュー表示領域の大きさと、前記コンテンツ表示領域の大きさとを互いに独立して拡大または縮小して前記表示部に表示させるように構成されている、請求項１に記載の映像受信装置。
【請求項３】
前記制御部は、前記コンテンツの更新された内容を受信した際には、前記コンテンツ表示領域の大きさを拡大しながら徐々に前記コンテンツ表示領域を登場させるとともに、前記コンテンツ表示領域に前記コンテンツの更新された内容を表示させるように構成されている、請求項２に記載の映像受信装置。
【請求項４】
前記制御部は、前記メニュー表示領域または前記コンテンツ表示領域のうち一方を前記表示部の側辺に配置させるとともに、前記メニュー表示領域または前記コンテンツ表示領域のうち他方を前記表示部の上辺または下辺に配置させ、かつ、前記メニュー表示領域の前記表示部の端辺から突出する長さと、前記コンテンツ表示領域の前記表示部の端辺から突出する長さとを互いに独立して拡大または縮小して前記表示部に表示させるように構成されている、請求項２または３に記載の映像受信装置。
【請求項５】
前記制御部は、前記メニュー表示領域を前記表示部の側辺に配置させるとともに、前記コンテンツ表示領域を前記表示部の上辺または下辺に配置させ、かつ、前記メニュー表示領域の前記表示部の側辺から突出する長さと、前記コンテンツ表示領域の前記表示部の上辺または下辺から突出する長さとを互いに独立して拡大または縮小して前記表示部に表示させるように構成されている、請求項４に記載の映像受信装置。
【請求項６】
前記制御部は、ユーザの操作に基づいて前記コンテンツの閲覧の機能が起動した後の待機状態では、前記メニュー表示領域の大きさを縮小して表示させるとともに、前記コンテンツ表示領域を表示させないように前記メニュー表示領域と前記コンテンツ表示領域とを互いに独立して制御するように構成されている、請求項２〜５のいずれか１項に記載の映像受信装置。
【請求項７】
前記制御部は、前記待機状態から、ユーザの操作またはコンテンツの更新された内容の受信に基づいて前記コンテンツの内容を閲覧可能な状態に遷移した場合には、前記メニュー表示領域の大きさを縮小して表示させる状態を維持するとともに、前記コンテンツ表示領域の大きさを拡大して前記コンテンツを表示させるように前記メニュー表示領域と前記コンテンツ表示領域とを互いに独立して制御するように構成されている、請求項６に記載の映像受信装置。
【請求項８】
前記制御部は、前記待機状態から、ユーザの操作に基づいて閲覧される前記コンテンツの変更を行うモード選択の状態に遷移した場合には、前記メニュー表示領域の大きさを拡大して前記メニューを表示させるとともに、前記コンテンツ表示領域を表示させないように前記メニュー表示領域と前記コンテンツ表示領域とを互いに独立して制御するように構成されている、請求項６または７に記載の映像受信装置。
【請求項９】
前記制御部は、前記モード選択の状態において、前記コンテンツの内容を新しい順に表示するか、または、古い順に表示するかをユーザにより選択可能に構成されている、請求項８に記載の映像受信装置。
【請求項１０】
前記制御部は、前記コンテンツの内容を閲覧可能な状態または前記モード選択の状態のうち一方から、ユーザの操作に基づいて前記メニューおよび前記コンテンツの内容の両方を表示する状態に遷移した場合には、前記メニュー表示領域の大きさを拡大して前記メニューを表示するとともに、前記コンテンツ表示領域の大きさを拡大して前記コンテンツの内容を表示するように前記メニュー表示領域と前記コンテンツ表示領域とを互いに独立して制御するように構成されている、請求項８または９に記載の映像受信装置。
【請求項１１】
前記制御部は、前記メニューおよび前記コンテンツの両方を表示する状態から、ユーザの操作に基づいて前記メニュー表示領域および前記コンテンツ表示領域が全画面表示される状態に遷移した場合には、前記コンテンツ表示領域を前記表示部の表示領域のうち前記メニュー表示領域以外の表示領域全体に拡大させて前記コンテンツの内容を表示するように前記メニュー表示領域と前記コンテンツ表示領域とを互いに独立して制御するように構成されている、請求項１０に記載の映像受信装置。
【発明の詳細な説明】
【技術分野】
【０００１】
この発明は、映像受信装置に関し、特に、コンテンツの内容が表示されるコンテンツ表示領域を表示させる制御部を備える映像受信装置に関する。
【背景技術】
【０００２】
従来、コンテンツの内容が表示されるコンテンツ表示領域を表示させる制御部を備える映像受信装置が知られている（たとえば、特許文献１参照）。
【０００３】
上記特許文献１には、映像、メニューアイコン（コンテンツ）およびメニューアイコンに対応する文字情報（コンテンツの内容）を画面に表示させる制御部を備える受信装置（映像受信装置）が開示されている。この受信装置では、ユーザがリモコンに設けられたアクセスボタンを操作することによって、画面に表示される映像の大きさが縮小されるとともに、映像が表示されない余白部分（コンテンツ表示領域）に、メニューアイコンが表示されるように構成されている。その後、ユーザがリモコンに設けられたカーソルボタンおよび決定ボタンを操作して、画面に表示されるメニューアイコンのうち所望のメニューアイコンを選択操作および決定操作することによって、所望のメニューアイコンに対応する文字情報が余白部分に表示されるように構成されている。
【先行技術文献】
【特許文献】
【０００４】
【特許文献１】特開平１０−２９４９０７号公報
【発明の概要】
【発明が解決しようとする課題】
【０００５】
しかしながら、上記特許文献１では、ユーザは、文字情報を表示するために、リモコンに設けられたアクセスボタンを操作してメニューアイコンを表示させるとともに、さらにカーソルボタンおよび決定ボタンを操作してメニューアイコンを選択操作および決定操作する必要があるので、文字情報（コンテンツの内容）を表示させる際の操作が煩雑になるという問題点がある。
【０００６】
この発明は、上記のような課題を解決するためになされたものであり、この発明の１つの目的は、コンテンツの内容を表示させる際の操作が煩雑になるのを抑制することが可能な映像受信装置を提供することである。
【課題を解決するための手段および発明の効果】
【０００７】
この発明の一の局面による映像受信装置は、ネットワークを介してコンテンツを受信することが可能な通信部と、コンテンツのメニューが表示されるメニュー表示領域と、コンテンツの内容が表示されるコンテンツ表示領域とを互いに独立して制御して表示部に表示させるように制御する制御部とを備える。
【０００８】
この一の局面による映像受信装置では、上記のように、コンテンツのメニューが表示されるメニュー表示領域と、コンテンツの内容が表示されるコンテンツ表示領域とを互いに独立して制御して表示部に表示させるように制御する制御部を設けることによって、制御部によりメニューを表示させることなくコンテンツの内容を表示させることができるので、メニュー表示領域を経由してコンテンツの内容を表示させる場合と異なり、コンテンツの内容を表示させる際の操作が煩雑になるのを抑制することができる。
【０００９】
上記一の局面による映像受信装置において、好ましくは、制御部は、メニュー表示領域の大きさと、コンテンツ表示領域の大きさとを互いに独立して拡大または縮小して表示部に表示させるように構成されている。このように構成すれば、メニュー表示領域とコンテンツ表示領域とを同時に拡大または縮小する場合と異なり、メニューを表示する場合またはコンテンツの内容を表示する場合に応じてメニュー表示領域およびコンテンツ表示領域毎に個別に拡大または縮小表示させることができる。
【００１０】
この場合、好ましくは、制御部は、コンテンツの更新された内容を受信した際には、コンテンツ表示領域の大きさを拡大しながら徐々にコンテンツ表示領域を登場させるとともに、コンテンツ表示領域にコンテンツの更新された内容を表示させるように構成されている。このように構成すれば、コンテンツ表示領域が動的に登場するので、コンテンツ表示領域を目立つように表示させることができる。これにより、ユーザに対してコンテンツの内容が更新されたことをより容易に認識させることができる。
【００１１】
上記メニュー表示領域の大きさと、コンテンツ表示領域の大きさとを互いに独立して拡大または縮小して表示部に表示させるように構成された映像受信装置において、好ましくは、制御部は、メニュー表示領域またはコンテンツ表示領域のうち一方を表示部の側辺に配置させるとともに、メニュー表示領域またはコンテンツ表示領域のうち他方を表示部の上辺または下辺に配置させ、かつ、メニュー表示領域の表示部の端辺から突出する長さと、コンテンツ表示領域の表示部の端辺から突出する長さとを互いに独立して拡大または縮小して表示部に表示させるように構成されている。このように構成すれば、メニュー表示領域およびコンテンツ表示領域が表示部の端辺に沿って配置されるので、表示部に表示される映像の中央部分がメニュー表示領域およびコンテンツ表示領域によって隠されるのを抑制することができる。また、メニュー表示領域の表示部の端辺から突出する長さと、コンテンツ表示領域の表示部の端辺から突出する長さとを同時に拡大または縮小する場合と異なり、メニューを表示する場合またはコンテンツの内容を表示する場合に応じてメニュー表示領域の表示部の端辺から突出する長さおよびコンテンツ表示領域の表示部の端辺から突出する長さ毎に個別に拡大または縮小表示させることができる。
【００１２】
この場合、好ましくは、制御部は、メニュー表示領域を表示部の側辺に配置させるとともに、コンテンツ表示領域を表示部の上辺または下辺に配置させ、かつ、メニュー表示領域の表示部の側辺から突出する長さと、コンテンツ表示領域の表示部の上辺または下辺から突出する長さとを互いに独立して拡大または縮小して表示部に表示させるように構成されている。このように構成すれば、メニュー表示領域が縦長に配置されるので、メニューを縦方向に表示させることができる。また、コンテンツ表示領域が横長に配置されるので、たとえば、コンテンツの内容が英語などの横書きの場合には、コンテンツの内容が横方向に表示されることにより、コンテンツの内容を閲覧し易くすることができる。
【００１３】
上記メニュー表示領域の大きさと、コンテンツ表示領域の大きさとを互いに独立して拡大または縮小して表示部に表示させるように構成された映像受信装置において、好ましくは、制御部は、ユーザの操作に基づいてコンテンツの閲覧の機能が起動した後の待機状態では、メニュー表示領域の大きさを縮小して表示させるとともに、コンテンツ表示領域を表示させないようにメニュー表示領域とコンテンツ表示領域とを互いに独立して制御するように構成されている。このように構成すれば、メニュー表示領域の大きさが縮小されて表示されるので、表示部に表示される映像の端辺近傍がメニュー表示領域によって隠されてしまうのを抑制しながら、コンテンツの閲覧の機能が起動していることをユーザに容易に認識させることができる。
【００１４】
この場合、好ましくは、制御部は、待機状態から、ユーザの操作またはコンテンツの更新された内容の受信に基づいてコンテンツの内容を閲覧可能な状態に遷移した場合には、メニュー表示領域の大きさを縮小して表示させる状態を維持するとともに、コンテンツ表示領域の大きさを拡大してコンテンツを表示させるようにメニュー表示領域とコンテンツ表示領域とを互いに独立して制御するように構成されている。このように構成すれば、メニュー表示領域の大きさが縮小されて表示されるので、表示部に表示される映像の端辺近傍がメニュー表示領域によって隠されてしまうのを抑制しながら、コンテンツ表示領域に表示されるコンテンツの内容を閲覧することができる。
【００１５】
上記待機状態を含む映像受信装置において、好ましくは、制御部は、待機状態から、ユーザの操作に基づいて閲覧されるコンテンツの変更を行うモード選択の状態に遷移した場合には、メニュー表示領域の大きさを拡大してメニューを表示させるとともに、コンテンツ表示領域を表示させないようにメニュー表示領域とコンテンツ表示領域とを互いに独立して制御するように構成されている。このように構成すれば、コンテンツ表示領域が表示されないので、表示部に表示される映像の端辺近傍がコンテンツ表示領域によって隠されてしまうのを抑制しながら、メニュー表示領域に表示されるメニューの選択操作または決定操作を行うことができる。
【００１６】
この場合、好ましくは、制御部は、モード選択の状態において、コンテンツの内容を新しい順に表示するか、または、古い順に表示するかをユーザにより選択可能に構成されている。このように構成すれば、容易に、コンテンツの内容を新しい順または古い順に並べてコンテンツ表示領域に表示することができる。
【００１７】
上記モード選択の状態を含む映像受信装置において、好ましくは、制御部は、コンテンツの内容を閲覧可能な状態またはモード選択の状態のうち一方から、ユーザの操作に基づいてメニューおよびコンテンツの内容の両方を表示する状態に遷移した場合には、メニュー表示領域の大きさを拡大してメニューを表示するとともに、コンテンツ表示領域の大きさを拡大してコンテンツの内容を表示するようにメニュー表示領域とコンテンツ表示領域とを互いに独立して制御するように構成されている。このように構成すれば、メニュー表示領域に表示されるメニューの選択操作または決定操作を行いながら、コンテンツ表示領域に表示されるコンテンツの内容の閲覧を行うことができる。
【００１８】
この場合、好ましくは、制御部は、メニューおよびコンテンツの両方を表示する状態から、ユーザの操作に基づいてメニュー表示領域およびコンテンツ表示領域が全画面表示される状態に遷移した場合には、コンテンツ表示領域を表示部の表示領域のうちメニュー表示領域以外の表示領域全体に拡大させてコンテンツの内容を表示するようにメニュー表示領域とコンテンツ表示領域とを互いに独立して制御するように構成されている。このように構成すれば、コンテンツ表示領域が表示部の端辺に配置される場合と比べて、コンテンツ表示領域の表示面積が大きくなるので、その分、より多くのコンテンツの内容を表示することができる。
【図面の簡単な説明】
【００１９】
【図１】本発明の一実施形態による液晶テレビジョン装置およびリモコンの模式図である。
【図２】本発明の一実施形態による液晶テレビジョン装置およびリモコンのブロック図である。
【図３】本発明の一実施形態による液晶テレビジョン装置の表示部に表示される両画面表示状態の画面を示す図である。
【図４】本発明の一実施形態による液晶テレビジョン装置の表示部に表示される待機状態の画面を示す図である。
【図５】本発明の一実施形態による液晶テレビジョン装置の表示部に表示される閲覧状態の画面を示す図である。
【図６】本発明の一実施形態による液晶テレビジョン装置の表示部に表示されるモード選択状態の画面を示す図である。
【図７】本発明の一実施形態による液晶テレビジョン装置の表示部に表示される全画面表示状態の画面を示す図である。
【図８】本発明の一実施形態による液晶テレビジョン装置の表示部に表示される画面の表示状態の遷移を説明するための図である。
【図９】本発明の一実施形態による液晶テレビジョン装置の表示部に表示される画面の第１変形例を示す図である。
【図１０】本発明の一実施形態による液晶テレビジョン装置の表示部に表示される画面の第２変形例を示す図である。
【発明を実施するための形態】
【００２０】
以下、本発明を具体化した実施形態を図面に基づいて説明する。
【００２１】
図１〜図７を参照して、本発明の一実施形態による映像出力システム１００の構成について説明する。
【００２２】
本実施形態による映像出力システム１００は、図１に示すように、表示部１を含む液晶テレビジョン装置２００と、液晶テレビジョン装置２００の表示部１に表示される後述する画面２０１〜２０５を操作するためのリモコン３００とを含んでいる。なお、液晶テレビジョン装置２００は、本発明の「映像受信装置」の一例である。また、液晶テレビジョン装置２００は、リモコン３００と赤外線通信を行うための赤外線受光部２と、音声を発生させるスピーカ部３とを含んでいる。
【００２３】
図２に示すように、液晶テレビジョン装置２００は、液晶テレビジョン装置２００全体の制御を司る制御部４を含む。制御部４は、バス（伝送路）５を介して赤外線受光部２と、外部入力端子６と、インターネットなどのネットワークを介してリアルタイムに内容が更新される天気やニュースなどのコンテンツを受信するためのネットワーク通信部７と、アンテナ８を介して放送局から配信されるデジタルテレビジョン放送信号を受信するための受信部９と、ＡＶセレクタ１０と、ＡＶデコーダ１１と、音声処理部１２と、映像処理部１３とに接続されている。なお、ネットワーク通信部７は、本発明の「通信部」の一例である。
【００２４】
また、液晶テレビジョン装置２００内の各部分は、バス（伝送路）５によって互いに接続されることによって、制御信号および制御上のデータを互いに通信することが可能に構成されている。また、外部入力端子６、ネットワーク通信部７および受信部９は、映像および音声信号の入出力を切り替える機能を有するＡＶセレクタ１０に接続されている。
【００２５】
また、ＡＶセレクタ１０は、受信部９からの映像・音声信号をデコード（復号）するためのＡＶデコーダ１１に接続されている。ＡＶデコーダ１１は、ＡＶセレクタ１０によって分離された映像信号および音声信号のそれぞれに対してデコード処理（符号の復号化）を行い、映像データおよび音声データを生成する機能を有する。
【００２６】
また、ＡＶデコーダ１１は、ＡＶデコーダ１１からの音声信号を処理する音声処理部１２と、ＡＶデコーダ１１からの映像信号の各種処理を行う映像処理部１３とに接続されている。音声処理部１２は、制御部４の制御により、Ｄ／Ａ変換処理（デジタル／アナログ変換処理）を施した上で、デジタルテレビジョン放送の番組などの音声をスピーカ部３に出力する機能を有している。また、映像処理部１３は、制御部４の制御により、デジタルテレビジョン放送の番組などの映像を表示部１に表示する機能を有している。
【００２７】
ここで、本実施形態では、図３に示すように、表示部１には、映像が表示される映像表示領域２０１ａと、メニューが表示されるメニュー表示領域２０１ｂと、リアルタイムに更新されるコンテンツの内容が表示されるコンテンツ表示領域２０１ｃとを含む画面２０１が表示されるように構成されている。
【００２８】
メニュー表示領域２０１ｂには、コンテンツ表示領域２０１ｃに表示されるコンテンツの内容（天気、ニュースなど）の選択または決定を行うためのアイコン１ａが表示されている。このアイコン１ａは、コンテンツの各々に対応するように表示されている。また、アイコン１ａは、ユーザが後述するリモコン３００の選択ボタン３０４ａの上下ボタンを操作することにより選択されるとともに、リモコン３００の決定ボタン３０４ｂを操作することにより決定されるように構成されている。また、選択されているアイコン１ａには、アイコン１ａを取り囲むようにカーソル１ｂが表示されるように構成されている。
【００２９】
コンテンツ表示領域２０１ｃには、たとえば「天気」のコンテンツが選択されている場合には、「天気」に関するコンテンツの内容（情報）（大阪  晴れ  降水確率０％  気温２５℃／１８℃）が表示されるように構成されている。また、メニュー表示領域２０１ｂにおいて、「ニュース」のコンテンツが選択されている場合には、コンテンツ表示領域２０１ｃには、「ニュース」に関するコンテンツの内容（情報）が表示されるように構成されている。なお、コンテンツ表示領域２０１ｃに表示されるコンテンツの内容は、ユーザが後述するリモコン３００の選択ボタン３０４ａの左右ボタンを操作することにより、切り替えられる（ページ送りされる）ように構成されている。
【００３０】
また、本実施形態では、ユーザのリモコン３００の操作またはコンテンツの更新された内容を受信することに基づいて、メニュー表示領域２０１ｂのＸ方向（左右方向（水平方向））の幅（端辺（側辺）から矢印Ｘ２方向（左右方向（水平方向））に突出する長さ）と、コンテンツ表示領域２０１ｃのＹ方向（上下方向（垂直方向））の幅（端辺（下辺）から矢印Ｙ２方向（上下方向（垂直方向））に突出する長さ）とを互いに独立して拡大または縮小させて表示部１に表示されるように構成されている。このように、メニュー表示領域２０１ｂの幅と、コンテンツ表示領域２０１ｃの幅とを互いに独立して拡大または縮小させることにより、後述する待機状態の画面２０２、閲覧状態の画面２０３、モード選択状態の画面２０４または全画面表示状態の２０５がそれぞれ表示部1に表示されるように構成されている。なお、図３に示すように、メニュー表示領域２０１ｂおよびコンテンツ表示領域２０１ｃの両方が表示部1に表示される状態を「両画面表示状態」とする。
【００３１】
また、メニュー表示領域２０１ｂは、画面２０１の矢印Ｘ１方向（左右方向（水平方向））側の端辺（側辺）に配置されている。このメニュー表示領域２０１ｂのＸ方向の幅（端辺（側辺）から矢印Ｘ２方向に突出する長さ）は、画面２０１のＸ方向の長さの約１５％である。また、コンテンツ表示領域２０１ｃは、画面２０１の矢印Ｙ１方向（上下方向（垂直方向））側の端辺（下辺）に配置されている。このコンテンツ表示領域２０１ｃのＹ方向の幅（端辺（下辺）から矢印Ｙ２方向に突出する長さ）は、画面２０１のＹ方向の長さの約１５％である。また、メニュー表示領域２０１ｂおよびコンテンツ表示領域２０１ｃは、表示部１に表示される映像表示領域２０１ａに重なるように配置されており、映像表示領域２０１ａのメニュー表示領域２０１ｂおよびコンテンツ表示領域２０１ｃと重なる部分は、映像表示領域２０１ａを鑑賞できない状態である。
【００３２】
また、図４に示すように、ユーザのリモコン３００の後述するコンテンツ閲覧の機能を起動させるための閲覧モードボタン３０７の操作に基づいて、コンテンツ閲覧の機能が起動される。そして、コンテンツ閲覧の機能が起動した後の状態（待機状態）では、映像が表示される映像表示領域２０２ａと、メニューが表示されるメニュー表示領域２０２ｂとを含む画面２０２が表示部1に表示されるように構成されている。メニュー表示領域２０２ｂは、画面２０２の矢印Ｘ１方向側の端辺（側辺）に配置されており、メニュー表示領域２０２ｂのＸ方向の幅は、画面２０２のＸ方向（左右方向（水平方向））の幅の約３％である。なお、待機状態の画面２０２では、コンテンツ表示領域が表示されないように構成されている。また、メニュー表示領域２０２ｂには、アイコン１ａは、表示されないように構成されている。
【００３３】
また、図５に示すように、コンテンツの内容を閲覧可能な状態（閲覧状態）では、映像が表示される映像表示領域２０３ａと、メニューが表示されるメニュー表示領域２０３ｂと、リアルタイムに更新されるコンテンツの内容が表示されるコンテンツ表示領域２０３ｃとを含む画面２０３が表示部1に表示されるように構成されている。メニュー表示領域２０３ｂは、画面２０３の矢印Ｘ１方向側の端辺（側辺）に配置されており、メニュー表示領域２０３ｂのＸ方向の幅は、画面２０３のＸ方向（左右方向（水平方向））の幅の約３％である。なお、メニュー表示領域２０３ｂには、アイコン１ａは、表示されないように構成されている。
【００３４】
また、コンテンツ表示領域２０３ｃは、画面２０３の矢印Ｙ１方向（上下方向（垂直方向））側の端辺（下辺）に配置されており、コンテンツ表示領域２０３ｃのＹ方向（上下方向（垂直方向））の幅は、画面２０３のＹ方向の幅の約１５％である。また、コンテンツ表示領域２０３ｃには、選択されているコンテンツの内容（情報）が表示されるように構成されている。たとえば、ニュースのコンテンツが選択されている場合には、コンテンツ表示領域２０３ｃには、ニュースのコンテンツの内容が新着順（コンテンツの内容の新しい順）に順次表示されるように構成されている。
【００３５】
また、図６に示すように、コンテンツの変更を行うモード選択の状態（モード選択状態）では、映像が表示される映像表示領域２０４ａと、メニューが表示されるメニュー表示領域２０４ｂとを含む画面２０４が表示部1に表示されるように構成されている。メニュー表示領域２０４ｂは、画面２０４の矢印Ｘ１方向（左右方向（水平方向））側の端辺（側辺）に配置されており、メニュー表示領域２０４ｂのＸ方向の幅は、画面２０４のＸ方向（左右方向（水平方向））の幅の約１５％である。また、メニュー表示領域２０４ｂには、天気やニュースなどのコンテンツに対応するアイコン１ａが表示されており、ユーザがアイコン１ａを選択および決定操作を行うことにより、コンテンツの種類を変更することが可能である。
【００３６】
また、図７に示すように、メニューとコンテンツの内容との両方を全画面表示する状態（全画面表示状態）では、メニューが表示されるメニュー表示領域２０５ｂと、リアルタイムに更新されるコンテンツの内容が表示されるコンテンツ表示領域２０５ｃとを含む画面２０５が表示部1に表示されるように構成されている。メニュー表示領域２０５ｂは、画面２０５の矢印Ｘ１方向（左右方向（水平方向））側の端辺（側辺）に配置されるとともに、メニュー表示領域２０５ｂのＸ方向の幅は、画面２０５のＸ方向（左右方向（水平方向））の幅の約１５％である。このメニュー表示領域２０５ｂには、天気やニュースなどのコンテンツに対応するアイコン１ａが表示されており、ユーザがアイコン１ａを選択および決定操作を行うことにより、コンテンツの種類を変更することが可能である。また、全画面表示状態の画面２０５は、コンテンツ表示領域２０５ｃを画面２０５の表示領域のうちメニュー表示領域２０５ｂ以外の表示領域全体に拡大させてコンテンツの内容を表示するように構成されている。
【００３７】
また、図１に示すように、リモコン３００は、リモコン操作時の信号を液晶テレビジョン装置２００の赤外線受光部２に送信するための赤外線発光部３０１と、液晶テレビジョン装置２００の電源をオン／オフするための電源ボタン３０２と、複数のチャンネル選択用ボタン３０３と、表示部１に表示される表示内容の選択操作するための十字キー状の４つの選択ボタン３０４ａおよび決定操作を行うための決定ボタン３０４ｂと、音量調節用ボタン３０５と、チャンネルアップ／ダウンボタン３０６と、コンテンツ閲覧の機能を起動させるための閲覧モードボタン３０７とを含んでいる。
【００３８】
また、図２に示すように、リモコン３００は、リモコン３００全体の制御を司る制御部３０８を含む。制御部３０８は、赤外線発光部３０１と、選択ボタン３０４ａおよび決定ボタン３０４ｂとに接続されている。
【００３９】
次に、図８を参照して、表示部１に表示される画面２０１〜画面２０５のメニュー表示領域２０１ｂ〜２０５ｂおよびコンテンツ表示領域２０１ｃ、２０３ｃ、２０５ｃの各状態（待機状態、閲覧状態、モード選択状態、両画面表示状態および全画面表示状態）の遷移動作について説明する。
【００４０】
まず、ユーザのリモコン３００の操作に基づいて、コンテンツの閲覧機能が起動された際には、待機状態の画面２０２が表示部１に表示される。このとき、待機状態の画面２０２では、メニュー表示領域２０２ｂが縮小表示された状態（画面２０２のＸ方向の幅の約３％の幅）で、画面２０２の矢印Ｘ１方向側の端辺（側辺）に配置される。また、待機状態において、コンテンツの更新された内容（新着内容）が受信された際には、待機状態の画面２０２の矢印Ｙ１方向側の端辺（下辺）から矢印Ｙ２方向に徐々にコンテンツ表示領域を登場させるように表示（アニメーション表示）される。これにより、待機状態の画面２０２から閲覧状態の画面２０３に遷移される。そして、閲覧状態の画面２０３のコンテンツ表示領域２０３ｃにコンテンツの更新された内容が表示される。
【００４１】
また、閲覧状態の画面２０３において、コンテンツの更新された内容が全て表示された後に、ユーザによる操作が一定時間行われない場合には、コンテンツ表示領域２０３ｃが矢印Ｙ１方向に徐々に下げられることにより非表示にされ、閲覧状態の画面２０３から待機状態の画面２０２に遷移される。
【００４２】
また、閲覧状態の画面２０３において、ユーザによりリモコン３００が操作された場合には、画面２０３の矢印Ｘ１方向側の端辺（側辺）から矢印Ｘ２方向に徐々にメニュー表示領域２０１ｂを登場させるように拡大表示（画面２０１のＸ方向（水平方向）の幅の約１５％の幅）にされる。これにより、閲覧状態の画面２０３から両画面表示状態の画面２０１に遷移される。そして、メニュー表示領域２０１ｂには、コンテンツの各々に対応するアイコン１ａが表示される。
【００４３】
また、両画面表示状態の画面２０１では、メニュー表示領域２０１ｂに表示されているアイコン１ａをユーザが選択操作または決定操作することにより、コンテンツ表示領域２０１ｃに表示されるコンテンツの変更やコンテンツの表示形式（コンテンツの更新日時の新しい順に表示する、または、古い順に表示するなど）の変更を行うことが可能である。また、両画面表示状態の画面２０１において、コンテンツの更新された内容を受信した際には、コンテンツ表示領域２０１ｃにコンテンツの更新された内容（新着内容）が表示される。また、ユーザによる操作が一定時間行われない場合には、メニュー表示領域２０１ｂが矢印Ｘ１方向に徐々に戻されることにより縮小表示（画面２０１のＸ方向の幅の約３％の幅）にされ、両画面表示状態の画面２０１から閲覧状態の画面２０３に遷移される。
【００４４】
また、待機状態の画面２０２において、ユーザによりリモコン３００が操作された場合には、画面２０２の矢印Ｘ１方向側の端辺（側辺）から矢印Ｘ２方向に徐々にメニュー表示領域２０４ｂを登場させるように拡大表示（画面２０４のＸ方向（水平方向）の幅の約１５％の幅）にされる。これにより、待機状態の画面２０２からモード選択状態の画面２０４に遷移される。そして、メニュー表示領域２０４ｂには、コンテンツの各々に対応するアイコン１ａが表示される。
【００４５】
また、モード選択状態の画面２０４では、ユーザがメニュー表示領域２０４ｂに表示されているアイコン１ａを選択操作または決定操作することにより、コンテンツ表示領域に表示されるコンテンツの変更やコンテンツの表示形式（コンテンツの更新日時の新しい順に表示する、または、古い順に表示するなど）の変更を行うことが可能である。また、ユーザによる操作が一定時間行われない場合には、メニュー表示領域２０４ｂが矢印Ｘ１方向に徐々に戻されることにより縮小表示（画面２０４のＸ方向（水平方向）の幅の約３％の幅）にされ、モード選択状態の画面２０４から待機状態の画面２０２に遷移される。
【００４６】
また、モード選択状態の画面２０４において、ユーザのリモコン３００の操作によりコンテンツの内容が変更された場合やコンテンツの内容の更新が確認された場合には、画面２０４の矢印Ｙ１方向側の端辺（下辺）から矢印Ｙ２方向に徐々にコンテンツ表示領域２０１ｃを登場させるように表示される。これにより、モード選択状態の画面２０４から両画面表示状態の画面２０１に遷移される。また、両画面表示状態の画面２０１において、コンテンツの更新された内容がコンテンツ表示領域２０１ｃに表示された後に、ユーザによる操作が一定時間行われない場合には、コンテンツ表示領域２０１ｃが矢印Ｙ１方向に徐々に下げられることにより非表示にされ、両画面表示状態の画面２０１からモード選択状態の画面２０４に遷移される。
【００４７】
また、両画面表示状態の画面２０１において、ユーザのリモコン３００の操作によりメニュー表示領域２０１ｂおよびコンテンツ表示領域２０１ｃを全画面表示に切り替えられた場合には、コンテンツ表示領域２０１ｃは、画面２０１の矢印Ｙ１方向側の端辺（下辺）から矢印Ｙ２方向に徐々に拡大表示される。これにより、両画面表示状態の画面２０１から全画面表示状態の画面２０５に遷移される。そして、コンテンツ表示領域２０５ｃが表示部１の表示領域のうちメニュー表示領域２０５ｂ以外の表示領域に拡大表示される。また、ユーザのリモコン３００の操作により全画面表示状態が終了された場合には、コンテンツ表示領域２０５ｃが矢印Ｙ１方向に徐々に下げられることにより縮小表示（画面２０５のＹ方向の幅の約１５％の幅）にされ、全画面表示状態の画面２０５から両画面表示状態の画面２０１に遷移される。
【００４８】
本実施形態では、上記のように、コンテンツのメニューが表示されるメニュー表示領域２０１ｂ（２０２ｂ、２０３ｂ、２０４ｂ、２０５ｂ）と、コンテンツの内容が表示されるコンテンツ表示領域２０１ｃ（２０３ｃ、２０５ｃ）とを互いに独立して制御して表示部１に表示させるように制御する制御部４を設けることによって、制御部４によりメニューを表示させることなくコンテンツの内容を表示させることができるので、メニュー表示領域２０１ｂ（２０２ｂ、２０３ｂ、２０４ｂ、２０５ｂ）を経由してコンテンツの内容を表示させる場合と異なり、コンテンツの内容を表示させる際の操作が煩雑になるのを抑制することができる。
【００４９】
また、本実施形態では、上記のように、制御部４がメニュー表示領域２０１ｂ（２０２ｂ、２０３ｂ、２０４ｂ、２０５ｂ）の幅と、コンテンツ表示領域２０１ｃ（２０３ｃ、２０５ｃ）の幅とを互いに独立して拡大または縮小して表示部１に表示させることによって、メニュー表示領域２０１ｂ（２０２ｂ、２０３ｂ、２０４ｂ、２０５ｂ）とコンテンツ表示領域２０１ｃ（２０３ｃ、２０５ｃ）とを同時に拡大または縮小する場合と異なり、メニューを表示する場合またはコンテンツの内容を表示する場合に応じてメニュー表示領域２０１ｂ（２０２ｂ、２０３ｂ、２０４ｂ、２０５ｂ）およびコンテンツ表示領域２０１ｃ（２０３ｃ、２０５ｃ）毎に個別に拡大または縮小表示させることができる。
【００５０】
また、本実施形態では、上記のように、制御部４がコンテンツの更新された内容を受信した際には、コンテンツ表示領域２０１ｃ（２０３ｃ、２０５ｃ）の幅を拡大しながら徐々にコンテンツ表示領域２０１ｃ（２０３ｃ、２０５ｃ）を登場させるとともに、コンテンツ表示領域２０１ｃ（２０３ｃ、２０５ｃ）にコンテンツの更新された内容を表示させることによって、コンテンツ表示領域２０１ｃ（２０３ｃ、２０５ｃ）が動的に登場するので、コンテンツ表示領域２０１ｃ（２０３ｃ、２０５ｃ）を目立つように表示させることができる。これにより、ユーザに対してコンテンツの内容が更新されたことをより容易に認識させることができる。
【００５１】
また、本実施形態では、上記のように、制御部４がメニュー表示領域２０１ｂ（２０２ｂ、２０３ｂ、２０４ｂ、２０５ｂ）を表示部１の矢印Ｘ１方向側の端辺（側辺）に配置させるとともに、コンテンツ表示領域２０１ｃ（２０３ｃ、２０５ｃ）を表示部１の矢印Ｙ１方向側の端辺（下辺）に配置させ、かつ、メニュー表示領域２０１ｂ（２０２ｂ、２０３ｂ、２０４ｂ、２０５ｂ）の表示部１の矢印Ｘ１方向側の端辺（側辺）から突出するＸ方向の長さと、コンテンツ表示領域２０１ｃ（２０３ｃ、２０５ｃ）の表示部１の矢印Ｙ１方向側の端辺（下辺）から突出するＹ方向の長さとを互いに独立して拡大または縮小して表示部１に表示させることによって、メニュー表示領域２０１ｂ（２０２ｂ、２０３ｂ、２０４ｂ、２０５ｂ）が縦長に配置されるので、メニューを縦方向（Ｙ方向）に表示させることができる。また、コンテンツ表示領域２０１ｃ（２０３ｃ、２０５ｃ）が横長に配置されるので、たとえば、コンテンツの内容が英語などの横書きの場合には、コンテンツの内容が横方向（（Ｘ方向）（左右方向）（水平方向））に表示されることにより、コンテンツの内容を閲覧し易くすることができる。
【００５２】
また、本実施形態では、上記のように、制御部４がユーザの操作に基づいてコンテンツの閲覧の機能が起動した後の待機状態では、メニュー表示領域２０２ｂの幅を縮小して表示させるとともに、コンテンツ表示領域を表示させないことによって、メニュー表示領域２０２ｂの幅が縮小されて表示されるので、表示部１に表示される映像の端辺近傍がメニュー表示領域２０２ｂによって隠されてしまうのを抑制しながら、コンテンツの閲覧の機能が起動していることをユーザに容易に認識させることができる。
【００５３】
また、本実施形態では、上記のように、制御部４が待機状態から、ユーザの操作またはコンテンツの更新された内容の受信に基づいてコンテンツの内容を閲覧可能な状態に遷移した場合には、メニュー表示領域２０３ｂの幅を縮小して表示させる状態を維持するとともに、コンテンツ表示領域２０３ｃの幅を拡大してコンテンツを表示させることによって、メニュー表示領域２０３ｂの幅が縮小されて表示されるので、表示部１に表示される映像の端辺近傍がメニュー表示領域２０３ｂによって隠されてしまうのを抑制しながら、コンテンツ表示領域２０３ｃに表示されるコンテンツの内容を閲覧することができる。
【００５４】
また、本実施形態では、上記のように、制御部４が待機状態から、ユーザの操作に基づいて閲覧されるコンテンツの変更を行うモード選択の状態に遷移した場合には、メニュー表示領域２０４ｂの幅を拡大してメニューを表示させるとともに、コンテンツ表示領域を表示させないことによって、コンテンツ表示領域が表示されないので、表示部１に表示される映像の端辺近傍がコンテンツ表示領域によって隠されてしまうのを抑制しながら、メニュー表示領域２０４ｂに表示されるメニューの選択操作または決定操作を行うことができる。
【００５５】
また、本実施形態では、上記のように、モード選択の状態において、コンテンツの内容を新しい順に表示するか、または、古い順に表示するかをユーザにより選択可能にすることによって、容易に、コンテンツの内容を新しい順または古い順に並べてコンテンツ表示領域２０１ｃ（２０３ｃ、２０５ｃ）に表示することができる。
【００５６】
また、本実施形態では、上記のように、制御部４がコンテンツの内容を閲覧可能な状態またはモード選択の状態のうち一方から、ユーザの操作に基づいてメニューおよびコンテンツの内容の両方を表示する状態に遷移した場合には、メニュー表示領域２０１ｂの幅を拡大してメニューを表示するとともに、コンテンツ表示領域２０１ｃの幅を拡大してコンテンツの内容を表示することによって、メニュー表示領域２０１ｂに表示されるメニューの選択操作または決定操作を行いながら、コンテンツ表示領域２０１ｃに表示されるコンテンツの内容の閲覧を行うことができる。
【００５７】
また、本実施形態では、上記のように、制御部４がメニューおよびコンテンツの両方を表示する状態から、ユーザの操作に基づいてメニュー表示領域２０５ｂおよびコンテンツ表示領域２０５ｃが全画面表示される状態に遷移した場合には、コンテンツ表示領域２０５ｃを表示部１の表示領域のうちメニュー表示領域２０５ｂ以外の表示領域全体に拡大させてコンテンツの内容を表示することによって、コンテンツ表示領域２０５ｃが表示部１の端辺に配置される場合と比べて、コンテンツ表示領域２０５ｃの表示面積が大きくなるので、その分、より多くのコンテンツの内容を表示することができる。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、上記実施形態では、本発明の映像受信装置の一例を液晶テレビジョン装置により構成する例を示したが、本発明はこれに限られない。たとえば、映像受信装置を液晶テレビジョン装置以外にＳＴＢ（Ｓｅｔ  Ｔｏｐ  Ｂｏｘ）やＤＶＤレコーダなどにより構成してもよい。この場合、ＳＴＢやＤＶＤレコーダにメニュー表示領域およびコンテンツ表示領域を含む画面を表示させるための表示部を接続するとよい。
【００６０】
また、上記実施形態では、コンテンツの更新された内容を受信した際に、閲覧状態において、ユーザの操作を必要とせず自動的にコンテンツ表示領域にコンテンツの内容が表示される例を示したが、本発明はこれに限られない。たとえば、図９に示す変形例のように、コンテンツの更新された内容を受信した際に、画面２０６に「新着あります」という表示を行うことにより、コンテンツの更新された内容を受信したことをユーザに通知してもよい。
【００６１】
また、上記実施形態では、映像表示領域のうちメニュー表示領域およびコンテンツ表示領域と重なる部分が鑑賞できない例を示したが、本発明はこれに限られない。たとえば、図１０に示す変形例のように、メニュー表示領域２０７ｂおよびコンテンツ表示領域２０７ｃが透けるように表示されることにより、映像表示領域２０７ａのメニュー表示領域２０７ｂおよびコンテンツ表示領域２０７ｃと重なる部分を鑑賞可能に構成してもよい。なお、メニュー表示領域２０７ｂおよびコンテンツ表示領域２０７ｃの透ける度合いは、ユーザにより任意に設定可能に構成してもよい。
【００６２】
また、上記実施形態では、メニュー表示領域を画面のＸ１方向側の端辺（側辺）に配置し、コンテンツ表示領域を画面のＹ１方向側の端辺（下辺）に配置する例を示したが、本発明はこれに限られない。たとえば、メニュー表示領域を画面のＸ２方向側の端辺（側辺）に配置し、コンテンツ表示領域を画面のＹ２方向側の端辺（上辺）に配置してもよい。
【００６３】
また、上記実施形態では、「天気」および「ニュース」に関するコンテンツの内容をコンテンツ表示領域に表示する例を示したが、本発明はこれに限られない。たとえば、コミュニティ型のＷｅｂサイトである「ＳＮＳ（ソーシャルネットワークサービス）」に関する内容をコンテンツ表示領域に表示してもよい。
【００６４】
また、上記実施形態では、メニュー表示領域を画面の幅の約３％または約１５％の幅で表示する例、および、コンテンツ表示領域を画面の幅の約１５％の幅または１００％（全画面表示）の幅で表示する例を示したが、本発明はこれに限られない。本発明では、メニュー表示領域を画面の幅の約３％または約１５％の幅以外の幅で表示してもよいし、コンテンツ表示領域を画面の幅の約１５％の幅または１００％の幅以外の幅で表示してもよい。
【００６５】
また、上記実施形態では、ユーザのリモコンの閲覧モードボタンの操作に基づいて、コンテンツ閲覧の機能が起動する例を示したが、本発明はこれに限られない。たとえば、液晶テレビジョンの電源をオンするのと同時にコンテンツの閲覧の機能が起動するように予め設定可能に構成してもよい。
【符号の説明】
【００６６】
１  表示部
４  制御部
７  ネットワーク通信部（通信部）
２００  液晶テレビジョン装置（映像受信装置）
２０１ｂ、２０２ｂ、２０３ｂ、２０４ｂ、２０５ｂ  メニュー表示領域
２０１ｃ、２０３ｃ、２０５ｃ  コンテンツ表示領域
【図１】
2011250067.tif 000003
【図２】
2011250067.tif 000004
【図３】
2011250067.tif 000005
【図４】
2011250067.tif 000006
【図５】
2011250067.tif 000007
【図６】
2011250067.tif 000008
【図７】
2011250067.tif 000009
【図８】
2011250067.tif 000010
【図９】
2011250067.tif 000011
【図１０】
2011250067.tif 000012